(57)【要約】【課題】ユーザによる有価証券取引の誤注文の低減を図ることのできる有価証券取引受付装置を提供する。【解決手段】有価証券の取引対象銘柄の指定を受け付けると、当該指定を受け付けた取引対象銘柄の前日終値、値幅制限値、前記前日終値に基づく呼値の単位との情報を取得し、それらの情報に基づいて、指定を受け付けた取引対象銘柄の取引注文条件の入力を図形により受け付ける注文条件描画画面を生成する。そして、注文条件描画画面において入力された図形と、当該図形が注文条件描画画面において示す注文条件とに基づいて、注文情報を生成する処理を行う。【選択図】図１
2010086255.tif 000002
【特許請求の範囲】
【請求項１】
有価証券の取引対象銘柄の指定を受け付ける取引対象銘柄指定受付手段と、
前記指定を受け付けた取引対象銘柄の前日終値と、前記前日終値に基づく値幅制限値と、前記前日終値に基づく呼値の単位との情報に基づいて、前記指定を受け付けた取引対象銘柄の取引注文条件の入力を図形により受け付ける注文条件描画画面を生成する注文条件描画画面生成手段と、
前記注文条件描画画面において入力された図形と、当該図形が前記注文条件描画画面において示す注文条件とに基づいて、注文情報を生成する注文情報生成手段と、
を備えることを特徴とする有価証券取引受付装置。
【請求項２】
前記注文条件描画画面は、
前記指定を受け付けた有価証券の前記値幅制限の上限値と下限値との中央に前記前日終値を示す縦軸と、前記有価証券の取引時間を示す横軸と、を有する画面であり、
前記注文情報生成手段は、
前記注文条件描画画面において入力された図形が示す取引時間および注文価格からなる注文条件に基づいて注文情報を生成する
ことを特徴とする請求項１に記載の有価証券取引受付装置。
【請求項３】
前記図形は水平線または垂直線の何れかであり、
前記注文情報生成手段は、
前記図形が水平線である場合には、その水平線が示す範囲の取引時間帯、特定の注文価格の注文条件による注文情報を生成し、
前記図形が垂直線である場合には、その垂直線が示す範囲の注文価格帯、特定の時間の注文条件による注文情報を生成する
ことを特徴とする請求項２に記載の有価証券取引受付装置。
【請求項４】
前記図形は長方形であり、
前記注文情報生成手段は、
前記長方形の示す上辺の水平線が示す範囲の取引時間帯、特定の注文価格の指値の注文条件による注文情報と、
前記長方形の示す下辺の水平線が示す範囲の取引時間帯、特定の注文価格の逆指値の注文条件による注文情報と、
前記長方形の示す取引時間が早い側の垂直線が示す範囲の注文価格帯、特定の時間の成行の注文条件による注文情報と、を生成する
ことを特徴とする請求項２に記載の有価証券取引受付装置。
【請求項５】
前記注文条件描画画面生成手段は、前記指定を受け付けた取引対象銘柄の前記取引時間における価格推移線を描画した前記注文条件描画画面を生成する
ことを特徴とする請求項１から請求項４の何れかに記載の有価証券取引装置。
【請求項６】
有価証券の取引対象銘柄と、当該取引対象銘柄の注文条件の入力を受け付ける注文条件入力受付手段と、
前記指定を受け付けた取引対象銘柄の前日終値と、前記前日終値に基づく値幅制限値と、前記前日終値に基づく呼値の単位と、前記注文条件と、の情報に基づいて、前記注文条件を図形により表示する注文条件描画画面を生成する注文条件描画画面生成手段と、
を備えることを特徴とする有価証券取引受付装置。
【請求項７】
有価証券取引受付装置における処理方法であって、
前記有価証券取引受付装置の取引対象銘柄指定受付手段が、有価証券の取引対象銘柄の指定を受け付け、
前記有価証券取引受付装置の注文条件描画画面生成手段が、前記指定を受け付けた取引対象銘柄の前日終値と、前記前日終値に基づく値幅制限値と、前記前日終値に基づく呼値の単位との情報に基づいて、前記指定を受け付けた取引対象銘柄の取引注文条件の入力を図形により受け付ける注文条件描画画面を生成し、
前記有価証券取引受付装置の注文情報生成手段が、前記注文条件描画画面において入力された図形と、当該図形が前記注文条件描画画面において示す注文条件とに基づいて、注文情報を生成する
ことを特徴とする処理方法。
【請求項８】
有価証券取引受付装置における処理方法であって、
前記有価証券取引受付装置の注文条件入力受付手段が、有価証券の取引対象銘柄と、当該取引対象銘柄の注文条件の入力を受け付け、
前記有価証券取引受付装置の注文条件描画画面生成手段が、前記指定を受け付けた取引対象銘柄の前日終値と、前記前日終値に基づく値幅制限値と、前記前日終値に基づく呼値の単位と、前記注文条件と、の情報に基づいて、前記注文条件を図形により表示する注文条件描画画面を生成する
ことを特徴とする処理方法。
【請求項９】
有価証券取引受付装置のコンピュータを、
有価証券の取引対象銘柄の指定を受け付ける取引対象銘柄指定受付手段、
前記指定を受け付けた取引対象銘柄の前日終値と、前記前日終値に基づく値幅制限値と、前記前日終値に基づく呼値の単位との情報に基づいて、前記指定を受け付けた取引対象銘柄の取引注文条件の入力を図形により受け付ける注文条件描画画面を生成する注文条件描画画面生成手段、
前記注文条件描画画面において入力された図形と、当該図形が前記注文条件描画画面において示す注文条件とに基づいて、注文情報を生成する注文情報生成手段、
として機能させるためのプログラム。
【請求項１０】
有価証券取引受付装置のコンピュータを、
有価証券の取引対象銘柄と、当該取引対象銘柄の注文条件の入力を受け付ける注文条件入力受付手段、
前記指定を受け付けた取引対象銘柄の前日終値と、前記前日終値に基づく値幅制限値と、前記前日終値に基づく呼値の単位と、前記注文条件と、の情報に基づいて、前記注文条件を図形により表示する注文条件描画画面を生成する注文条件描画画面生成手段、
として機能させるためのプログラム。
【発明の詳細な説明】
【技術分野】
【０００１】
本発明は、有価証券の注文条件を受け付けて、当該注文条件による注文情報を証券取引所等の取引装置へ送信する有価証券取引受付装置とその処理方法およびプログラムに関する。
【背景技術】
【０００２】
従来、株式などの有価証券の取引の仲介を行う有価証券取引受付装置を用いて、インターネットを利用した有価証券の取引仲介サービスを提供する証券会社が多く存在する。そして各証券会社は、サービスの向上を目的として、株式の様々な注文の仕組みをユーザに提供している。ここで、インターネットを介した株式の注文受付方法として、非特許文献１が開示されている。
【特許文献１】特許第３８７５２０６号公報
【発明の開示】
【発明が解決しようとする課題】
【０００３】
しかしながら、上述のような技術により、有価証券の注文方法が複雑になることにより、ユーザが注文の入力を誤り、これによる誤注文が多く発生していた。
【０００４】
そこでこの発明は、ユーザによる有価証券取引の誤注文の低減を図ることのできる有価証券取引受付装置とその処理方法およびプログラムを提供することを目的としている。
【課題を解決するための手段】
【０００５】
上記目的を達成するために、本発明は、有価証券の取引対象銘柄の指定を受け付ける取引対象銘柄指定受付手段と、前記指定を受け付けた取引対象銘柄の前日終値と、前記前日終値に基づく値幅制限値と、前記前日終値に基づく呼値の単位との情報に基づいて、前記指定を受け付けた取引対象銘柄の取引注文条件の入力を図形により受け付ける注文条件描画画面を生成する注文条件描画画面生成手段と、前記注文条件描画画面において入力された図形と、当該図形が前記注文条件描画画面において示す注文条件とに基づいて、注文情報を生成する注文情報生成手段と、を備えることを特徴とする有価証券取引受付装置である。
【０００６】
また本発明は、上述の有価証券取引受付装置において、前記注文条件描画画面が、前記指定を受け付けた有価証券の前記値幅制限の上限値と下限値との中央に前記前日終値を示す縦軸と、前記有価証券の取引時間を示す横軸と、を有する画面であり、前記注文情報生成手段は、前記注文条件描画画面において入力された図形が示す取引時間および注文価格からなる注文条件に基づいて注文情報を生成することを特徴とする。
【０００７】
また本発明は、上述の有価証券取引受付装置において、前記図形は水平線または垂直線の何れかであり、前記注文情報生成手段は、前記図形が水平線である場合には、その水平線が示す範囲の取引時間帯、特定の注文価格の注文条件による注文情報を生成し、前記図形が垂直線である場合には、その垂直線が示す範囲の注文価格帯、特定の時間の注文条件による注文情報を生成することを特徴とする。
【０００８】
また本発明は、上述の有価証券取引受付装置において、前記図形は長方形であり、前記注文情報生成手段は、前記長方形の示す上辺の水平線が示す範囲の取引時間帯、特定の注文価格の指値の注文条件による注文情報と、前記長方形の示す下辺の水平線が示す範囲の取引時間帯、特定の注文価格の逆指値の注文条件による注文情報と、前記長方形の示す取引時間が早い側の垂直線が示す範囲の注文価格帯、特定の時間の成行の注文条件による注文情報と、を生成することを特徴とする。
【０００９】
また本発明は、上述の有価証券取引受付装置において、前記注文条件描画画面生成手段は、前記指定を受け付けた取引対象銘柄の前記取引時間における価格推移線を描画した前記注文条件描画画面を生成することを特徴とする。
【００１０】
また本発明は、有価証券の取引対象銘柄と、当該取引対象銘柄の注文条件の入力を受け付ける注文条件入力受付手段と、前記指定を受け付けた取引対象銘柄の前日終値と、前記前日終値に基づく値幅制限値と、前記前日終値に基づく呼値の単位と、前記注文条件と、の情報に基づいて、前記注文条件を図形により表示する注文条件描画画面を生成する注文条件描画画面生成手段と、を備えることを特徴とする有価証券取引受付装置である。
【００１１】
また本発明は、有価証券取引受付装置における処理方法であって、前記有価証券取引受付装置の取引対象銘柄指定受付手段が、有価証券の取引対象銘柄の指定を受け付け、前記有価証券取引受付装置の注文条件描画画面生成手段が、前記指定を受け付けた取引対象銘柄の前日終値と、前記前日終値に基づく値幅制限値と、前記前日終値に基づく呼値の単位との情報に基づいて、前記指定を受け付けた取引対象銘柄の取引注文条件の入力を図形により受け付ける注文条件描画画面を生成し、前記有価証券取引受付装置の注文情報生成手段が、前記注文条件描画画面において入力された図形と、当該図形が前記注文条件描画画面において示す注文条件とに基づいて、注文情報を生成することを特徴とする処理方法である。
【００１２】
また本発明は、有価証券取引受付装置における処理方法であって、前記有価証券取引受付装置の注文条件入力受付手段が、有価証券の取引対象銘柄と、当該取引対象銘柄の注文条件の入力を受け付け、前記有価証券取引受付装置の注文条件描画画面生成手段が、前記指定を受け付けた取引対象銘柄の前日終値と、前記前日終値に基づく値幅制限値と、前記前日終値に基づく呼値の単位と、前記注文条件と、の情報に基づいて、前記注文条件を図形により表示する注文条件描画画面を生成することを特徴とする処理方法である。
【００１３】
また本発明は、有価証券取引受付装置のコンピュータを、有価証券の取引対象銘柄の指定を受け付ける取引対象銘柄指定受付手段、前記指定を受け付けた取引対象銘柄の前日終値と、前記前日終値に基づく値幅制限値と、前記前日終値に基づく呼値の単位との情報に基づいて、前記指定を受け付けた取引対象銘柄の取引注文条件の入力を図形により受け付ける注文条件描画画面を生成する注文条件描画画面生成手段、前記注文条件描画画面において入力された図形と、当該図形が前記注文条件描画画面において示す注文条件とに基づいて、注文情報を生成する注文情報生成手段、として機能させるためのプログラムである。
【００１４】
また本発明は、有価証券取引受付装置のコンピュータを、有価証券の取引対象銘柄と、当該取引対象銘柄の注文条件の入力を受け付ける注文条件入力受付手段、前記指定を受け付けた取引対象銘柄の前日終値と、前記前日終値に基づく値幅制限値と、前記前日終値に基づく呼値の単位と、前記注文条件と、の情報に基づいて、前記注文条件を図形により表示する注文条件描画画面を生成する注文条件描画画面生成手段、として機能させるためのプログラムである。
【発明の効果】
【００１５】
本発明によれば、グラフィカルに有価証券取引の注文条件をユーザ端末に表示することとなるため、有価証券取引の誤注文の低減を図ることができる。
【発明を実施するための最良の形態】
【００１６】
以下、本発明の一実施形態による有価証券取引受付装置を図面を参照して説明する。
図１は同実施形態による有価証券取引受付装置の構成を示すブロック図である。
この図において、符号１は有価証券取引受付装置である。そして有価証券取引受付装置１は、通信処理部１１、銘柄指定受付部１２（取引対象銘柄指定受付手段）、注文条件描画画面生成部１３（注文条件描画画面生成手段）、注文受付処理部１４（注文情報生成手段）、確認画面生成部１５、注文条件入力受付部１６（注文条件入力受付手段）、発注処理部１７、株価情報ＤＢ（データベース）１８、注文情報ＤＢ１９を備えている。ここで通信処理部１１は、株式などの有価証券の取引注文を行うユーザが操作するユーザ端末２や、有価証券の取引処理を行う証券取引所システム３との間の情報の送受信を行う処理部である。また、銘柄指定受付部１２は、ユーザが取引を行う有価証券の銘柄の指定をユーザ端末２より受け付ける処理部である。また、注文条件描画画面生成部１３は注文条件の図形による入力を受け付けるための注文条件描画画面を生成する処理部である。また注文受付処理部１４は、注文条件描画画面に入力された注文条件を受け付けると共に、注文情報を生成する処理部である。また、確認画面生成部１５はユーザが注文した有価証券の注文情報を確認する画面を生成する処理部である。また注文条件入力受付部１６は、注文条件描画画面からの図形による注文条件の入力ではなく、他の注文条件入力画面から注文条件を文字により受け付ける処理部である。また株価情報ＤＢ１８は証券取引所システム３や、株価情報配信会社のサーバ等より受け付けた株価情報を記憶するデータベースである。また注文情報ＤＢ１９はユーザが入力した注文条件に基づいて生成された注文情報を記憶する注文情報を記憶するデータベースである。
【００１７】
そして、本実施形態における有価証券取引受付装置１は、有価証券の取引対象銘柄の指定を受け付けると、当該指定を受け付けた取引対象銘柄の前日終値、値幅制限値、前記前日終値に基づく呼値の単位、の各情報を取得し、それらの情報に基づいて、指定を受け付けた取引対象銘柄の取引注文条件の入力を図形により受け付ける注文条件描画画面を生成する。そして、注文条件描画画面において入力された図形と、当該図形が注文条件描画画面において示す注文条件、注文条件描画画面に示される価格と取引時間の対応関係を示すグラフ情報とに基づいて、注文情報を生成する処理を行う。そして、このようなグラフィカルな情報により注文条件の入力を受け付ける処理を行うことで、ユーザによる有価証券取引の際の誤注文の低減を図ることを目的としている。
【００１８】
図２は注文条件描画画面の画面例を示す図である。
この図が示すように注文条件描画画面は、縦軸に、指定された取引対象銘柄の前日終値を中心とした制限値幅までの各株価を示している。また注文条件描画画面は、横軸に、取引時間帯の各時間を示している。さらに、この注文条件描画画面には、指定された取引対象銘柄の価格の遷移が表示される。ユーザは、ユーザ端末２に表示された注文条件描画画面において、注文条件を図形により入力することができる。図２においては水平な直線の図形を入力した場合の例を示している。本実施形態による有価証券取引受付装置１は、図２で示すように、グラフィカルに有価証券取引の注文条件の入力を受け付ける処理を行うものである。また図２で示す注文条件描画画面には、図形により入力された注文条件に対応する注文情報（注文種類、銘柄名／銘柄コード、取引種別、注文形態、注文価格、数量、執行条件など）の表示領域、指定された取引対象銘柄の板情報を表示する領域を備えている。また図２で示す注文条件描画画面には、どのような注文条件を図形により入力するかのアイコン群が表示される。
【００１９】
図３は有価証券取引受付装置の処理フローを示す図である。
次に、有価証券取引受付装置の処理の詳細について説明する。
まず、ユーザからの注文を受け付ける際、有価証券取引受付装置１はユーザ端末２からのアクセスを受け付けると（ステップＳ１）、銘柄指定受付部１２が、銘柄入力画面のウェブページをユーザ端末２へ送信する（ステップＳ２）。ユーザはユーザ端末２に表示された銘柄入力画面において、銘柄名または銘柄コードを入力し、その画面において注文開始を指示する。するとユーザ端末２は、注文開始の入力に基づいて、銘柄名または銘柄コードを示す注文開始要求を送信する（ステップＳ３）。有価証券取引受付装置１の銘柄指定受付部１２は通信処理部１１を介してインターネット経由で送信された注文開始要求を受信すると（ステップＳ４）、当該注文開始要求に格納されている銘柄名または銘柄コードの情報を読み取る。そして、銘柄指定受付部１２はその読み取った銘柄名または銘柄コードを注文条件描画画面生成部１３に通知する。
【００２０】
次に注文条件描画画面生成部１３は、銘柄指定受付部１２から受け付けた銘柄名または銘柄コードに対応付けられて株価情報ＤＢ１８に登録されている株価情報を取得する（ステップＳ５）。ここで、株価情報は銘柄名または銘柄コードに対応する、前日終値、前日終値に基づく値幅制限値、前日終値に基づく呼値の単位、その日における取引時間帯における株価遷移（各時刻における株価）、などの情報を少なくとも含む情報である。そして、注文条件描画画面生成部１３は、取得した株価情報を用いて注文条件描画画面を生成する（ステップＳ６）。例えば図２で示すような注文条件描画画面であって、縦軸ｙに株価を表示し、横軸ｘに時刻を表示し、縦軸ｙには、（前日終値−値幅制限）≦ｙ≦（前日終値＋値幅制限）、横軸ｘには、取引開始時刻≦ｘ≦取引終了時刻を表示する座標画面を生成する。ただし、縦軸ｙは前日終値に基づく呼値の単位で株価を指定できる画面であり（例えば、前日終値の株価が２０００円超 ３０００円以下であれば５円単位で株価を指定できる画面となり、また、前日終値の株価が３０００円超 ３００００円以下であれば１０円単位で株価を指定できる画面となる）、また横軸ｘは分単位で指定できる画面であるものとする。また、この注文条件描画画面は、ユーザ端末２より指定を受け付けた有価証券の値幅制限の上限値と下限値との中央に前日終値を示す縦軸と、有価証券の取引時間を示す横軸と、を有する画面である。そして、その注文条件描画画面にはステップＳ５で取得した株価情報のグラフ（価格推移線）を描画して生成する。そして、注文受付処理部１４が、生成された注文条件描画画面をユーザ端末２に配信する（ステップＳ７）。
【００２１】
ユーザ端末２は注文条件描画画面をモニタに表示する（ステップＳ８）。そしてユーザ端末２は、注文条件描画画面においてユーザより注文条件を示す図形の入力を受け付ける（ステップＳ９）。ユーザ端末２は注文条件を示す図形や、その他の情報（注文の種別、数量など）の入力を受け付けると、その図形情報（水平線、垂直線、長方形のいずれを示すかの情報、破線や実線を示す情報、水平線や垂直線や長方形が示すグラフ上の座標）と、注文条件描画画面において表示されているグラフの座標に対応する価格と取引時刻を示すグラフ情報（この情報は、例えば、注文条件描画画面の生成時に、当該注文条件描画画面の情報として生成され、予め画面の情報と共にユーザ端末２に配信されている）、注文の種別（現物買、現物売、信用買、信用売、指値、逆指値、成行など）と、その他注文条件（銘柄、数量など）を含む注文要求を有価証券取引受付装置１へ送信する（ステップＳ１０）。有価証券取引受付装置１において注文受付処理部１４が通信処理部１１を介して注文要求を受信すると、注文受付処理部１４は、注文要求に格納されている図形情報と、グラフ情報と、注文の種別と、その他注文条件の各情報を用いて、注文情報を生成する処理を行う（ステップＳ１１）。そして、注文情報を生成すると、その注文情報を確認画面生成部１５に転送し、確認画面が注文情報を表示した確認画面を生成してユーザ端末２へ送信する（ステップＳ１２）。ユーザ端末２は確認画面を受信後、モニタに表示し、その確認画面においてＯＫの入力を受け付けると、確認完了を有価証券取引受付装置１へ送信する（ステップＳ１３）。すると、有価証券取引受付装置１の注文受付処理部１４は注文情報を注文情報ＤＢ１９にユーザのＩＤに対応付けて登録する（ステップＳ１４）。これにより注文入力が完了する。そして発注処理部１７は、注文情報を、当該注文情報で示される所定のタイミングで証券取引所システム３へ送信することにより、発注を完了する。なお、これ以降の処理については従来の有価証券の取引システムにおける処理と同様であるため、処理の説明を省略する。
【００２２】
次に、上述の注文情報の生成処理の詳細について説明する。
ユーザは、ユーザ端末２のモニタに出力された注文条件描画画面内において、まず、現物買、現物売、信用買、信用売の何れかのアイコンを選択して押下し、また指値、逆指値、成行、時間帯・価格帯指定のいずれかのアイコンを選択して押下する。指値または逆指値を選択した場合には、ユーザは注文条件描画画面内のグラフにおいて水平線（指値の場合には実線の水平線、逆指値の場合には破線の水平線）を入力することができ（なお、買いと売りの区別は色により、または文字の注釈を出力することにより表示する）、また成行を選択した場合には、ユーザは注文条件描画画面内のグラフにおいて垂直線を入力することができる。また、時間帯・価格帯指定を選択した場合には、ユーザは注文条件描画画面内のグラフにおいて長方形の図形を入力することができる。そして、有価証券取引受付装置１の注文受付処理部１４は、図形情報として実線や破線の水平または垂直、または長方形を表す情報を受信し、図形情報が水平線である場合には、その水平線が示す範囲の取引時間帯、特定の注文価格の注文条件による注文情報を生成し、図形情報が垂直線である場合には、その垂直線が示す範囲の注文価格帯、特定の時間の注文条件による注文情報を生成する。また図形情報が長方形である場合には、当該長方形の示す上辺の水平線が示す範囲の取引時間帯、特定の注文価格の指値の注文条件による注文情報と、長方形の示す下辺の水平線が示す範囲の取引時間帯、特定の注文価格の逆指値の注文条件による注文情報と、長方形の示す取引時間が早い側の垂直線が示す範囲の注文価格帯、特定の時間の成行の注文条件による注文情報と、を生成する。
【００２３】
より具体的には、例えば、図形情報には、グラフの原点を基準とした始点と終点の座標が格納されている。そして、注文受付処理部１４は、図形情報に格納されている始点と終点の各座標に対応する、時刻と価格を、注文条件描画画面の生成時に作成したグラフ情報から読み取る（又は算出する）。例えば、グラフにおいてｙ＝￥３０００，１０：００≦ｘ≦１１：００で示される水平線が入力された場合、図形情報は水平線の両端点を示す（ｘ，ｙ）＝（１０：００，３０００）と（１１：００，３０００）となる。すると、有価証券取引受付装置１の注文受付処理部１４は、図形情報（ｘ，ｙ）＝（１０：００，３０００）と（１１：００，３０００）から、（１０：００，￥３０００）と（１１：００，￥３０００）の情報を検出し、これにより、注文価格と取引時間帯が特定される。そして、注文受付処理部１４は、注文価格￥３０００、取引時間１０：００〜１１：００の情報（注文価格￥３０００、取引時間１０：００〜１１：００の指値注文を示す）と、注文の種別、その他の注文条件（銘柄、数量）の情報を含む注文情報を生成する。
【００２４】
なお、上述の処理においては、有価証券取引受付装置１の注文受付処理部１４が、図形情報とグラフ情報とを用いて、注文条件描画画面において入力された図形から注文価格と取引時間帯を検出する例について説明したが、注文条件描画画面の付帯情報として注文価格と取引時間帯を検出するプログラムがユーザ端末２へ配信され、当該プログラムが、入力された図形と、注文条件描画画面の他の付帯情報としてユーザ端末２に配信されたグラフ情報とに基づいて、上記注文受付処理部１４の処理のように注文価格と、取引時間帯を検出するようにしてもよい。この場合、ユーザ端末に配信された当該プログラムが、注文の種別（現物買、現物売、信用買、信用売の何れかの情報、および、指値、逆指値、成行の何れかの情報）、その他の注文条件（銘柄、数量）の情報を含む注文情報を生成し、有価証券取引受付装置１へ送信し、有価証券取引受付装置１の注文受付処理部１４が、ユーザ端末２より受信した注文情報を注文情報ＤＢ１９に登録する。
【００２５】
次に、注文条件描画画面への入力例について説明する。
図４は注文条件描画画面の入力例を示す第１の図である。
図４で示す入力例は、上述の処理フローで説明した場合と同様に、現物買の指値注文の注文条件を入力する例である。縦軸の原点が￥２６００であり、￥１０単位で株価の指定ができる図４で示す注文条件描画画面において、注文条件描画画面のグラフにｙ＝￥２９５０，９：００≦ｘ≦１１：００で示される水平線が入力されると、図形情報は（ｘ，ｙ）＝（９：００，２９５０）と（１１：００，２９５０）となる。すると、有価証券取引受付装置１の注文受付処理部１４は、図形情報（ｘ，ｙ）＝（９：００，２９５０）と（１１：００，２９５０）から、（９：００，￥２９５０）と（１１：００，￥２９５０）の情報を検出し、これにより、注文価格と取引時間帯が特定される。
【００２６】
図５は注文条件描画画面の入力例を示す第２の図である。
図５で示す入力例は、現物売の成行注文の注文条件を入力する例である。縦軸の原点が￥２６００であり、￥１０単位で株価の指定ができる図４で示す注文条件描画画面において、注文条件描画画面のグラフにｘ＝１０：３０で示される垂直線が入力されると、図形情報は（ｘ，ｙ）＝（１０：３０，２６００）と（１０：３０，３６００）となる。なお、垂直線が入力された場合には成行であると判定される。そして、注文受付処理部１４は、図形情報（ｘ，ｙ）＝（１０：３０，２６００）と（１０：３０，３６００）から、（１０：３０，成行）の情報を検出する。
【００２７】
図６は注文条件描画画面の入力例を示す第３の図である。
図６で示す入力例は、現物売の後場成行注文の注文条件を入力する例である。縦軸の原点が￥２６００であり、￥１０単位で株価の指定ができる図４で示す注文条件描画画面において、注文条件描画画面のグラフにｘ＝１２：３０で示される垂直線が入力されると、図形情報は（ｘ，ｙ）＝（１２：３０，２６００）と（１２：３０，３６００）となる。なお、垂直線が入力された場合には成行であると判定される。そして、注文受付処理部１４は、図形情報（ｘ，ｙ）＝（１２：３０，２６００）と（１２：３０，３６００）から、（１２：３０，成行）の情報を検出する。
【００２８】
図７は注文条件描画画面の入力例を示す第４の図である。
図４で示す入力例は、現物売の逆指値注文の注文条件を入力する例である。縦軸の原点が￥２６００であり、￥１０単位で株価の指定ができる図４で示す注文条件描画画面において、注文条件描画画面のグラフにｙ＝２９００，９：００≦ｘ≦１５：００で示される破線の水平線が入力されると、図形情報は（ｘ，ｙ）＝（９：００，２９００）と（１５：００，２９００）となる。すると、図形情報（ｘ，ｙ）＝（９：００，２９００）と（１５：００，２９００）から、（９：００，￥２９００）と（１５：００，￥２９００）の情報を検出し、これにより、注文価格と取引時間帯が特定される。
【００２９】
図８は注文条件描画画面の入力例を示す第５の図である。
図８で示す入力例は、現物買の指値注文と現物売の指値注文の２つの注文の注文条件を入力する例である。縦軸の原点が￥２６００であり、￥１０単位で株価の指定ができる図４で示す注文条件描画画面において、注文条件描画画面のグラフに現物買を示すｙ＝２８００，９：００≦ｘ≦１５：００で示される水平線と、現物売を示すｙ＝３２００，９：００≦ｘ≦１５：００で示される水平線が入力されると、図形情報は（ｘ，ｙ）＝（９：００，２８００）と（１５：００，２８００）および、（ｘ，ｙ）＝（９：００，３２００）と（１５：００，３２００）の２組となる。すると、図形情報（ｘ，ｙ）＝（９：００，２８００）と（１５：００，２８００）から、（９：００，￥２８００）と（１５：００，￥２８００）の情報と、（ｘ，ｙ）＝（９：００，３２００）と（１５：００，３２００）から、（９：００，￥３２００）と（１５：００，￥３２００）の情報とを検出し、これにより、２つの注文価格と取引時間帯の組が特定される。
【００３０】
図９は注文条件描画画面の入力例を示す第６の図である。
図９で示す入力例は、長方形の図形により時間帯・価格帯指定の注文を行う場合の例であり、長方形の図形の入力により、現物買の逆指値注文と、現物買の指値注文と、現物買の成行注文の３つの注文の注文条件を入力する例である。縦軸の原点が￥２６００であり、￥１０単位で株価の指定ができる図４で示す注文条件描画画面において、注文条件描画画面のグラフに時間帯・価格帯指定の注文を示す、長方形の図形が入力されるとする。そしてこの長方形の図形の上辺がｙ＝２９００，１０：００≦ｘ≦１１：００で示される水平線であり、下辺がｙ＝２８００，１０：００≦ｘ≦１１：００で示される水平線であり、取引時間が早い側の垂直線が２８００≦ｙ≦２９００，ｘ＝１０：００であり、取引時間の遅い側の垂直線が２８００≦ｙ≦２９００，ｘ＝１１：００であるとすると、図形情報は、それら水平線と垂直線の交点である（ｘ，ｙ）＝（１０：００，２８００），（１０：００，２９００），（１１：００，２８００），（１１：００，２９００）となる。すると、図形情報（ｘ，ｙ）＝（１０：００，２８００），（１０：００，２９００），（１１：００，２８００），（１１：００，２９００）から、（１０：００，￥２８００）と（１０：００，￥２９００）の情報と、（１１：００，￥２８００）と（１１：００，￥２９００）の情報とを検出する。これにより、注文価格が一致する（１０：００，￥２９００）と（１１：００，￥２９００）の情報より注文価格￥２９００で１０：００〜１１：００の指値注文と、注文価格が一致する（１０：００，￥２８００）と（１１：００，￥２８００）の情報より注文価格が￥２８００で１０：００〜１１：００の逆指値注文と、取引時間が早い側で一致する（１０：００，￥２８００）と（１０：００，￥２９００）の情報より１０：００の成行注文と、の３つの注文情報を生成する。
【００３１】
なお、上述の処理においては、注文条件描画画面においてユーザが図形を入力することにより、注文条件を入力する場合の例について説明したが、このほか、注文条件を数値などの文字により入力欄に入力し、その結果、注文条件入力受付部１６が入力された情報を受け付け、入力された数値に対応する図形を、取引対象銘柄に基づいて上記の処理と同様に生成した注文条件描画画面に、注文条件描画画面生成部１３が自動表示するようにしても良い。またはユーザ端末２が、入力された情報を受け付け、入力された数値に対応する図形を、取引対象銘柄に基づいて上記の処理と同様に生成した注文条件描画画面に自動表示するようにしても良い。なおこの場合、注文条件描画画面生成部１３またはユーザ端末２は、入力された数値から、グラフ情報に基づいて、上記の各処理とは逆の処理により、注文条件描画画面上のグラフの座標に変換し、その座標に基づいて、垂直線、水平線、長方形、などの図形を表示すればよい。
【００３２】
そして、上述の処理によれば、グラフィカルに有価証券取引の注文条件をユーザ端末に表示することとなるため、有価証券取引の誤注文の低減を図ることができる。
【００３３】
なお、上述の有価証券取引受付装置は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３４】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３５】
【図１】有価証券取引受付装置の構成を示すブロック図である。
【図２】注文条件描画画面の画面例を示す図である。
【図３】有価証券取引受付装置の処理フローを示す図である。
【図４】注文条件描画画面の入力例を示す第１の図である。
【図５】注文条件描画画面の入力例を示す第２の図である。
【図６】注文条件描画画面の入力例を示す第３の図である。
【図７】注文条件描画画面の入力例を示す第４の図である。
【図８】注文条件描画画面の入力例を示す第５の図である。
【図９】注文条件描画画面の入力例を示す第６の図である。
【符号の説明】
【００３６】
１・・・有価証券取引受付装置
２・・・ユーザ端末
３・・・証券取引所システム
１１・・・通信処理部
１２・・・銘柄指定受付部
１３・・・注文条件描画画面生成部
１４・・・注文受付処理部
１５・・・確認画面生成部
１６・・・注文条件入力受付部
１７・・・発注処理部
１８・・・株価情報ＤＢ
１９・・・注文情報ＤＢ
【図１】
2010086255.tif 000003
【図２】
2010086255.tif 000004
【図３】
2010086255.tif 000005
【図４】
2010086255.tif 000006
【図５】
2010086255.tif 000007
【図６】
2010086255.tif 000008
【図７】
2010086255.tif 000009
【図８】
2010086255.tif 000010
【図９】
2010086255.tif 000011